(57)【要約】【課題】根管形状を可視化できる根管模型の製造装置、根管模型、根管模型の製造方法などを提供する。【解決手段】根管を含む画像を読み取る画像読取手段２と、前記画像読取手段２が読み取った根管を含む画像に関する情報を解析し、根管を立体化する処理を行う画像処理手段３と、少なくとも前記画像処理手段３によって立体化処理された根管の立体像を表示する表示手段５と、前記画像処理手段３によって処理された根管の立体像に従って、根管の立体的模型を製造する模型製造手段４と、を含む根管模型製造装置。【選択図】  図１
2004305610.tif 000002
【特許請求の範囲】
【請求項１】
根管を含む画像を読み取る画像読取手段と、
前記画像読取手段が読み取った根管を含む画像に関する情報を解析し、根管を立体化する処理を行う画像処理手段と、
少なくとも前記画像処理手段によって立体化処理された根管の立体像を表示する表示手段と、
前記画像処理手段によって処理された根管の立体像に従って、根管の立体的模型を製造する模型製造手段と、
を含む根管模型製造装置。
【請求項２】
根管を含む画像を読み取る画像読取手段と表示手段とに接続可能な接続手段と、
前記画像読取手段が読み取った根管を含む画像に関する情報を解析し、根管を立体化する処理を行う画像処理手段と、
前記画像処理手段によって処理された根管の立体像に従って、根管の立体的模型を製造する模型製造手段と、
を含む根管模型製造装置。
【請求項３】
請求項１または請求項２に記載の根管模型製造装置であって、
前記画像処理手段は、１枚または２枚の根管を含む画像から、根管を立体化する処理を行うことができるものである根管模型製造装置。
【請求項４】
請求項１〜請求項３のいずれか１項に記載の根管模型製造装置であって、
前記画像処理手段は、前記画像読取手段が読み取った根管を含む画像に関する情報を解析し、形状変化演算に従って形状変化を施した根管の立体像を形成する立体化処理を行う、根管模型製造装置。
【請求項５】
前記根管模型の外形は、半割円柱状、または角柱状である請求項１〜請求項４のいずれか１項に記載の根管模型製造装置。
【請求項６】
請求項１〜請求項５のいずれか１項に記載の根管模型製造装置を用いた根管模型の製造方法。
【請求項７】
請求項１〜請求項５のいずれか１項に記載の根管模型製造装置を用いて製造され、
外形は半割円柱状、または角柱状であり、
根管部分が凹部として形成され、
無色透明、または有色透明である根管模型。
【請求項８】
根管を含む画像を読み取る画像読取手段と、
前記画像読取手段が読み取った根管を含む画像に関する情報を解析し、根管を立体化する処理を行う画像処理手段と、
少なくとも前記画像処理手段によって立体化処理された根管の立体像を表示する表示手段と、
前記画像処理手段によって処理された根管の立体像情報に従って、歯科用手用器具の形状を調整する形状調整手段と、
を含む歯科用手用器具形状調整装置。
【請求項９】
根管を含む画像を読み取る画像読取手段と表示手段とに接続可能な接続手段と、
前記画像読取手段が読み取った根管を含む画像に関する情報を解析し、根管を立体化する処理を行う画像処理手段と、
前記画像処理手段によって処理された根管の立体像情報に従って、歯科用手用器具の形状を調整する形状調整手段と、
を含む歯科用手用器具形状調整装置。
【請求項１０】
請求項８または請求項９に記載の歯科用手用器具形状調整装置であって、
前記画像処理手段は、１枚または２枚の根管を含む画像から、根管を立体化する処理を行うことができるものである歯科用手用器具形状調整装置。
【請求項１１】
請求項８〜請求項１０のいずれか１項に記載の歯科用手用器具形状調整装置であって、
前記画像処理手段は、前記画像読取手段が読み取った根管を含む画像に関する情報を解析し、形状変化演算に従って形状変化を施した根管の立体像を形成する立体化処理を行う、歯科用手用器具形状調整装置。
【請求項１２】
請求項８〜請求項１１のいずれか１項に記載の歯科用手用器具形状調整装置を用いて形状が調整された歯科用手用器具を用いた、根管治療方法。
【請求項１３】
請求項８〜請求項１１のいずれか１項に記載の歯科用手用器具形状調整装置を含む歯科用手用器具の製造装置。
【請求項１４】
請求項１３に記載の歯科用手用器具の製造装置を用いて製造された歯科用手用器具を用いた、歯科用手用器具の製造方法。
【請求項１５】
根管を含む画像を読み取る画像読取手段と、
前記画像読取手段が読み取った根管を含む画像に関する情報を解析し、根管を立体化する処理を行う画像処理手段と、
少なくとも前記画像処理手段によって立体化処理された根管の立体像を表示する表示手段と、
前記画像処理手段によって処理された根管の立体像情報に従って、歯科用手用器具を製造する歯科用器具製造手段と、
を含む歯科用手用器具製造装置。
【請求項１６】
根管を含む画像を読み取る画像読取手段と表示手段とに接続可能な接続手段と、
前記画像読取手段が読み取った根管を含む画像に関する情報を解析し、根管を立体化する処理を行う画像処理手段と、
前記画像処理手段によって処理された根管の立体像情報に従って、歯科用手用器具を製造する歯科用器具製造手段と、
を含む歯科用手用器具製造装置。
【請求項１７】
請求項１５または請求項１６に記載の歯科用手用器具製造装置であって、
前記画像処理手段は、１枚または２枚の根管を含む画像から、根管を立体化する処理を行うことができるものである歯科用手用器具製造装置。
【請求項１８】
請求項１５〜請求項１７のいずれか１項に記載の歯科用手用器具製造装置であって、
前記画像処理手段は、前記画像読取手段が読み取った根管を含む画像に関する情報を解析し、形状変化演算に従って形状変化を施した根管の立体像を形成する立体化処理を行う、歯科用手用器具製造装置。
【請求項１９】
請求項１５〜請求項１８のいずれか１項に記載の歯科用手用器具製造装置を用いて製造された歯科用手用器具を用いた歯科用手用器具の製造方法。
【請求項２０】
請求項１５〜請求項１８のいずれか１項に記載の歯科用手用器具製造装置を用いて製造された歯科用手用器具を用いた根管治療方法。
【発明の詳細な説明】
【０００１】
【発明の属する技術分野】
本発明は、根管形状を可視化できる根管模型の製造装置、そのような根管模型の製造方法、そのような根管模型、歯科用手用器具の調整方法、及び歯科用手用器具の調整装置に関する。このような根管模型は、根管を拡大し根管を治療する際に、根管拡大用模型として有効に用いられる。
【０００２】
【従来の技術】
近年、歯科において根管治療の重要性が再認識されつつある。例えば、歯髄炎を起した根管などには、根尖部歯周組織まで炎症が波及する事態を防ぐために根管治療が行われている。根管が直線的な形状を有している場合であっても、根管治療には多くの労力と時間とが必要とされる。特に根管の形状が湾曲している場合は、その根管治療に更なる困難性が伴うこととなる。根管の湾曲形状は、根尖部にのみ湾曲があるもの、歯根全体に緩やかな湾曲があるもの、歯根全体に著しい湾曲があるもの、鎌形に湾曲しているもの、銃槍状に湾曲しているもの（二重湾曲根）と湾曲根管に分類される。一般的に、後者になるほど根管治療が困難となる。
【０００３】
これまで根管治療の精度を向上させるために、肉眼では見ることのできない顎骨の内部や、歯根を明確にするレントゲン写真が用いられてきた。しかしながら、レントゲン写真は、根管部分を含む断面写真であり、根管部分の立体形状は必ずしも把握できない。そこで、根管の立体形状を把握するために複数枚のレントゲン写真を撮影し、術者が根管の立体形状を想定していた。そして、想定した根管の立体形状を踏まえて、歯科用手用器具の形を調整した上で、根管治療などを施術していた。しかしながら、複数枚のレントゲン写真によっても、必ずしも根管の立体形状は明らかとはならないという問題があった。また、レントゲン撮影回数が増えることによって患者の被爆量が増大するという問題があった。
【０００４】
また、湾曲根管を拡大すると種々の破折や、穿孔などの問題を生じるおそれがある。そこで、プレカーブ法などにより歯科用手用器具の形状が調整されている。プレカーブ法は、根管治療の際に用いる歯科用リーマーや歯科用ファイルなどの歯科用手用器具の形状を、根管形状や施術の際の変化などを踏まえて予め曲げておく方法である。また、歯科医師らは、手用機器の先端を根尖孔の形状に近づけるように調整して、根管治療を行っている。しかしながら、歯科医師らは、根管を映写したレントゲン写真など根管の断面写真に基づいて、根管の立体形状を想定し、手用機器の先端形状を調整するため、必ずしも根管治療に適したように調整することができないという問題があった。すなわち、歯科医師らにとって、根管治療に適した歯科用手用器具が必ずしも得られず、根管治療を行うためには熟練が必要とされるという問題があった。
【０００５】
根管治療は、患者が直視してなされる治療ではないため、患者は不安になりがちであり、また患者からの理解を得ることが難しいという問題があった。
【０００６】
【発明が解決しようとする課題】
本発明は、根管形状を可視化できる根管模型の製造装置、根管模型、根管模型の製造方法を提供することを第１の目的とする。
【０００７】
本発明は、根管治療の際に歯科用手用器具に要求される根管形状からのずれを考慮した根管模型の製造装置、そのような根管模型、そのような根管模型を用いた歯科用手用器具の形状調整方法を提供することを第２の目的とする。
【０００８】
本発明は、根管治療の際に歯科用手用器具に要求される根管形状及び根管形状からのずれなどを考慮した歯科用手用器具の形状調整装置、及びそのような装置を含む歯科用手用器具の製造装置を提供することを第３の目的とする。
【０００９】
本発明は、根管治療の際に歯科用手用器具に要求される根管形状及び根管形状からのずれなどを考慮した歯科用手用器具の製造装置を提供することを第４の目的とする。
【００１０】
本発明は、根管治療の際に歯科用手用器具に要求される根管形状及び根管形状からのずれなどを考慮して形状が調整された歯科用手用器具、または根管治療の際に歯科用手用器具に要求される根管形状及び根管形状からのずれなどを考慮して製造された歯科用手用器具を用いた根管治療方法を提供することを第５の目的とする。
【００１１】
【課題を解決するための手段】
上記発明の少なくともひとつ以上は、下記の発明により解決される。
すなわち、本発明の第１の態様に係る発明は、「根管を含む画像を読み取る画像読取手段と、前記画像読取手段が読み取った根管を含む画像に関する情報を解析し、根管を立体化する処理を行う画像処理手段と、少なくとも前記画像処理手段によって立体化処理された根管の立体像を表示する表示手段と、前記画像処理手段によって処理された根管の立体像に従って、根管の立体的模型を製造する模型製造手段とを含む根管模型製造装置」である。このような根管模型製造装置によれば、患者の根管形状と同様または所定の変化が加わった形状の根管模型を作成することができる。歯髄炎や、根管が感染した場合に、根管を拡大して、清掃する。これは根管治療と呼ばれる治療である。この根管治療には、針状をしていて、先がやすりとなっている、リーマーや、Ｋファイル、Ｈファイルといった根管拡大器具（歯科用手用器具）が用いられる。根管は、直線状でなく、殆どの場合湾曲しており、さらに２回以上彎曲ているものもある。そこで、術者は、根管の形状に合わせて、針状の根管拡大器具の先端を変形して用いる。本発明の根管模型は根管を拡大する根管治療において、特に有効に用いられる。また、複数回レントゲン撮影を行う場合に比べ、本発明においては、例えば１回、または２回のレントゲン撮影で根管形状を立体化できる。したがって、患者の被爆量を軽減できる。また、本発明によれば、解剖学的に撮影することのできない後方からの像などの立体像も得ることができる。
【００１２】
本発明の第２の態様に係る発明は、「根管を含む画像を読み取る画像読取手段と、前記画像読取手段が読み取った根管を含む画像に関する情報を解析し、根管を立体化する処理を行う画像処理手段と、少なくとも前記画像処理手段によって立体化処理された根管の立体像を表示する表示手段と、前記画像処理手段によって処理された根管の立体像に従って、根管の立体的模型を製造する模型製造手段とを含む根管模型製造装置であって、前記画像処理手段は、前記画像読取手段が読み取った根管を含む画像に関する情報を解析し、形状変化演算に従って形状変化を施した根管の立体像を形成する立体化処理を行う、根管模型製造装置」である。このような根管模型製造装置によれば、患者の根管形状に所定の変化が加わった形状の根管模型を作成することができる。この根管模型は根管を拡大する根管治療において、特に有効に用いられる。
【００１３】
本発明の第３の態様に係る発明は、「根管を含む画像を読み取る画像読取手段と、前記画像読取手段が読み取った根管を含む画像に関する情報を解析し、根管を立体化する処理を行う画像処理手段と、少なくとも前記画像処理手段によって立体化処理された根管の立体像を表示する表示手段と、前記画像処理手段によって処理された根管の立体像情報に従って、歯科用手用器具の形状を調整する形状調整手段と、を含む歯科用手用器具形状調整装置」である。
本発明の第３の態様に係る発明は、好ましくは「画像処理手段が、前記画像読取手段が読み取った根管を含む画像に関する情報を解析し、形状変化演算に従って形状変化を施した根管の立体像を形成する立体化処理を行う、歯科用手用器具形状調整装置」である。このような歯科用手用器具形状調整装置によれば、歯科用手用器具の形状を、患者一人一人の根管治療に望ましい形状に調整できることとなる。
【００１４】
本発明の第４の態様に係る発明は、「根管を含む画像を読み取る画像読取手段と、前記画像読取手段が読み取った根管を含む画像に関する情報を解析し、根管を立体化する処理を行う画像処理手段と、少なくとも前記画像処理手段によって立体化処理された根管の立体像を表示する表示手段と、前記画像処理手段によって処理された根管の立体像情報に従って、歯科用手用器具を製造する歯科用器具製造手段とを含む歯科用手用器具製造装置」である。このような歯科用手用器具製造装置によれば、患者一人一人の根管治療に望ましい形状の歯科用手用器具を製造できることとなる。
【００１５】
本発明の第５の態様に係る発明は、上記の歯科用手用器具形状調整装置を用いて形状が調整された歯科用手用器具を用いた根管治療方法、及び上記の歯科用手用器具製造装置を用いて製造された歯科用手用器具を用いた根管治療方法である。この根管治療方法によれば、患者一人一人の根管治療に望ましい形状の歯科用手用器具を用いて行うことができるため、根管治療を比較的円滑に行うことができるようになる。
【００１６】
【発明の実施の形態】
図１に、本発明の第１の実施形態に係る根管模型製造装置の概略図を示す。図１に示されるように、第１の実施形態に係る根管模型製造装置１は、画像読取部２と、画像処理部３と、模型製造部４と、表示部５とを具備する。根管模型製造装置は、画像読取部、表示部と接続できる接続部を有していれば、画像処理部３と、模型製造部４とのみからなるものであってもよい。
【００１７】
画像読取部２は、本発明における画像読取手段として機能する。画像読取手段としては、根管を含む画像を読み取ることのできるものであれば、公知の画像読取手段を用いることができ、特に限定されることはない。このような画像読取手段としては、公知のスキャナ、デジタルカメラ、ＣＣＤカメラなどが挙げられる。例えば、患者の根管を含むレントゲン写真をこれらの画像読取手段によって読み取り、デジタル化して蓄積してもよい。また、レントゲン写真装置そのものが画像読取手段として機能しても良い。なお、本明細書において、「根管を含む画像」としては、患者の根管を含むレントゲン写真などが挙げられる。レントゲン写真において、根管部は、通常周囲の部分に比べ色が濃く表れる。このため、肉眼によっても、レントゲン写真から根管部の平面形状を把握できる。
【００１８】
画像読取部が読み取った根管を含む画像は、例えば、画像読取部に含まれるＡ／Ｄ変換器によりデジタル化され、画像処理部に送られる。
【００１９】
図２は、本発明の根管模型製造装置における画像処理部３と模型製造部４のブロック図である。画像処理部３及び模型製造部４は、それぞれ画像処理手段３及び模型製造手段４として機能する。
【００２０】
図２に示されるように、画像処理部３は、（１）画像読取部が読み取った根管を含む画像に関する情報から根管部分を識別する根管識別部３１と、（２）根管識別部３１が識別した根管部分の形状から根管の立体像を形成する立体像形成部３２と、（３）画像読取部から伝えら得た根管に関する画像情報や根管識別部が識別した根管部分の形状に関する情報、立体像形成部が形成した立体像に関する情報などを記憶する画像情報記憶部３３と、（４）画像処理部３と、模型製造部４、図示しない表示部、図示しない入力手段、図示しない周辺機器（出力装置、ルータなど）と接続する接続部３４と、（５）画像処理部全体の動作を制御する画像処理制御部３５とを具備する。
【００２１】
根管識別部３１としては、例えば、画像読取部が読み取った根管を含む画像に関する情報から、各ピクセルにおける濃淡情報をもとに根管部分を識別する濃淡識別回路を含むものが挙げられる。根管識別部が識別する精度や閾値については、予め根管識別部に含まれるＲＯＭやＲＡＭなどの記憶手段に記憶されていても良い。また、根管識別部が識別する精度や閾値については、例えば、接続部３４と連結され、図示しない入力手段により入力され、画像処理制御部３５などにより制御されるものであっても良い。根管識別部３１が識別した根管形状に関する情報は、好ましくは画像処理制御部３５を介して画像情報記憶部３３に記憶される。
【００２２】
根管識別部３１が認識した根管部分については、好ましくは、接続部３４に連結され図示しない表示部によって表示される。このようにすれば、患者の根管部分の平面形状を目視することができる。また、根管部分の形状に関する情報を画像情報記憶部３３が記憶していれば、レントゲン写真等を廃棄しても、いつでも根管部分を確認できることとなり、管理等の利便性が向上するとともに、省スペース化を図ることができる。
【００２３】
立体像形成部３２は、根管識別部３１が識別した根管部分の形状から根管の立体像を形成する。立体像形成部３２は、根管識別部３１が識別した根管部分の形状をもとに、接続部３４に接続された入力手段により入力されたポリゴン（立体多角形等）情報に基づき、複数の立体多角形等からなる根管の立体像を形成するものが挙げられる。このような立体形成部としては、例えば、メタ・クリエーション（Ｍｅｔａ  Ｃｒｅａｔｉｏｎｓ）社のキャノマ（Ｃａｎｏｍａ）など公知の３次元コンピュータ支援デザイン（ＣＡＤ）ソフト、特にイメージ支援モデリングソフトなどをインストールしたコンピュータを利用することができる。イメージ支援モデリングソフトとは、平面形状写真等から、その立体形状を想定して、立体形状化するソフトをいう。なお、本明細書において、「立体多角形等」とは、円柱、円錐、円錐台、四角柱・三角柱などの多角柱、四角錐・三角錐などの多角錐、球などが挙げられるが、好ましくは円柱、円錐、円錐台のみからなるものである。
【００２４】
立体像形成部としては、好ましくは１枚または２枚の根管を含む画像に由来する画像情報から根管の立体像を形成できるものである。すなわち、立体像形成部としては、１つの根管を含む画像情報から、その立体像を予測して、根管の立体像を形成するものであってもよいし、異なる断面から撮影した根管を含む画像を用いて根管の立体像を予測して根管の立体像を形成するものであってもよい。なお、根管を含む画像が多いほど、より精確な根管の立体像を得ることができるため、本発明において用いられる根管を含む画像は１枚または２枚に限定されることはなく、３枚、４枚またはそれ以上であってもよい。しかしながら、根管を含む画像を多くすることは、例えば根管を含む画像がレントゲン写真などである場合、患者の被爆量を増加させることにつながるため好ましくない。
【００２５】
先に説明したように、根管治療は、患者が直視してなされる治療ではないため、患者は不安になりがちであり、また患者からの理解を得ることが難しい。本発明のように、患者の根管形状そのままの根管模型を作成すれば、患者へのインフォームドコンセント、根管治療の困難性や根管治療を行うためにかかる時間などの情報を、より的確に説明することができることとなる。また、根管形状を立体的に容易に把握できるため、術者自身の根管治療への負担が軽減されることとなる。
【００２６】
立体像形成部３２が、根管識別部３１が識別した根管部分の形状をもとに、根管部分の外郭を把握し、この外郭に複数の立体多角形等を当てはめ、複数の立体多角形等からなる根管の立体像を形成するものは、本発明の好ましい別の実施態様である。特に、立体像形成部３２が、根管識別部３１が識別した根管部分の形状のをもとに、根管部分の外郭を把握し、この外郭に複数の円錐台を当てはめ、複数の円錐台からなる根管の立体像を形成するものは、本発明の好ましい別の実施態様であり、この実施態様において円錐台の数が好ましくは２個〜１００個であり、より好ましくは２個〜１０個であり、更に好ましくは３個〜８個であり、特に好ましくは３個〜５個である。円錐台など立体多角形の数が多いほどより精確な立体像を作成できるが、あまりに多くなると立体化処理が複雑となるためである。
【００２７】
立体像形成部３２が、予め根管部分の立体形状に関する複数のデータを記憶したＲＯＭなどの記憶手段を有しており、根管識別部３１が識別した根管部分の形状から、自動的に根管の立体像を形成するものは、本発明の好ましい別の実施形態である。また、立体像形成部３２が、根管識別部３１が識別した根管部分の形状から、自動的に根管を拡大した立体像を形成するものは、本発明の好ましい別の実施形態である。
【００２８】
立体像形成部３２には、プレカーブに関する情報を記憶するプレカーブ記憶手段と、根管の立体形状に関する情報を用い、プレカーブ記憶手段に記憶されたプレカーブに関する情報を参照することにより、プレカーブを考慮した根管の立体像を形成するものは、本発明の好ましい別の実施形態である。なお、プレカーブ記憶手段には、根管の２次元、または３次元座標データと、好ましい歯科用リーマーの形状などのプレカーブを考慮した形状を複数記憶したデータベースとして構成されていてもよい。このようにすれば、プレカーブを考慮した根管模型を製造することができ、術者は、歯科用リーマーなどの歯科用手用器具をこの根管模型の形状に合わせて制御すればよいことになる。
【００２９】
立体像形成部３２には、根管形状の曲率を考慮し術者の知見を反映した所定の変化を加えることによりプレカーブを考慮した根管の立体像を形成する立体像演算部があり、この演算部によって演算されたプレカーブを考慮した根管の立体像を形成するものは、本発明の好ましい別の実施形態である。このようにすれば、プレカーブを考慮した根管模型を製造することができ、術者は、歯科用リーマーなどの歯科用手用器具をこの根管模型の形状に合わせて制御すればよいことになる。このような術者の知見としては、例えば後述の形状変化演算に見られるように、根管形状をその根管形状と相似形状に拡大させるものや、根管をできるだけ直線化するように拡大するものが挙げられる。
【００３０】
形状変化演算における形状変化としては、根管形状と相似形状に拡大させるように形状変化させるものが挙げられる。このような形状変化は、根管形状をそのまま拡大する根管治療の際に特に有効である。根管形状の拡大率としては、ある辺の長さを１．０１倍〜１．５倍、好ましくは１．０５倍〜１．３倍、より好ましくは１．１倍〜１．２倍にするものが挙げられる。このように根管形状を相似形状に拡大する演算は、例えば根管の像を認識した後に、その像の形状を拡大させる形状変化演算により容易に行うことができる。
【００３１】
形状変化演算における別の形状変化としては、湾曲した根管をできるだけ円錐形に近づけるように湾曲内面側に湾曲度を強くするように形状変化させるものが挙げられる。このような形状変化は、根管の湾曲をできるだけ少なくする根管治療の際に特に有効である。このように根管形状を変化させる演算は、例えば根管の像を認識した後に、その像の形状全体について曲率を把握し、その曲率を増大させる形状変化演算により容易に行うことができる。この場合における、曲率の増大率としては、１．０１倍〜３倍が挙げられ、好ましくは１．１倍〜２倍であり、より好ましくは１．３倍〜１．５倍である。
このように根管形状を変化させる演算は、また根管の像を認識した後に、その像の湾曲内面の形状を増大させる形状変化演算により容易に行うことができる。
【００３２】
画像情報記憶部３３は、画像読取部から伝えられた根管に関する画像情報や根管識別部が識別した根管部分の形状に関する情報、立体像形成部が形成した立体像に関する情報などを記憶する。画像情報記憶部３３は、例えば、ＲＯＭ、ＲＡＭなどの公知の記憶手段を具備するものが挙げられる。また、画像情報記憶部３３が記憶した各種情報は、好ましくはリレーショナルデータベースなどにより管理され記憶されている。
【００３３】
接続部３４は、画像処理部３と模型製造部４などを接続することができるものであれば、コネクタなど公知の接続手段を用いることができる。なお、接続部３４は、好ましくは図示しない表示部、図示しない入力手段、図示しない周辺機器（出力装置、ルータなど）などのうち少なくともひとつ以上と接続されている。
【００３４】
画像処理制御部３５は、画像処理部全体の動作を制御する。画像処理制御部３５は、公知のコンピュータのＣＰＵがその機能を果たすことができる。また、画像処理部３は、ハードウェアによりその機能が具備されていても良いし、またコンピュータを上記の各機能を果たす手段を含むプログラムをコンピュータなどにインストールさせることにより機能させるものでも良い。
【００３５】
図２に示されるように、模型製造部４は、（１）被切削体を切削し根管模型を製造する切削部４１と、（２）切削部４１に対し、切削部が被切削体を切削する部位や深さに関する指令を送る切削指令部４２と、（３）画像処理部３から伝えられた立体像形成部が形成した立体像に関する情報や、切削材料の形状、材質、硬度などを記憶する切削情報記憶部４３と、（４）模型製造部４と画像処理部３などとを接続する接続部４４と、（５）模型製造部全体の動作を制御する模型製造部制御部４５とを具備する。模型製造部４として、ローランド・ディー・シー社のＭＯＤＥＬＡシリーズなど公知の３次元形状切削装置を用いてもよい。
【００３６】
切削部４１は、被切削体を切削し、根管模型を製造する部位である。被切削体の材質としては、エポキシ、アクリル、メタクリル、ポリカーボネート、ポリビニルなど公知のエンジニアリングプラスチックを１種または２種以上混合して用いることができ、好ましくはエポキシが挙げられる。被切削体の色としては、無色透明、有色透明なものが挙げられるが、好ましくは無色透明である。透明であれば、作成した根管部分を様々な角度から目視できるからである。被切削体の形状としては、円柱状、半割円柱状、四角柱状、六角柱状など公知の立体形状が挙げられるが、好ましくは半割円柱状、または円柱状である。半割円柱状の被切削体を用いれば、根管形状の断面図を含む立体的な根管形状の模型を得ることができ、円柱状の被切削体を用いれば、様々な方向から根管形状を目視できる根管形状の模型を得ることができる。
【００３７】
切削指令部４２は、切削部４１に対し、切削部が被切削体を切削する部位や深さに関する指令を出す機能を有する。
【００３８】
切削情報記憶部４３は、画像処理部３から伝えられた立体像形成部が形成した立体像に関する情報や、切削材料の形状、材質、硬度などを記憶する。切削情報記憶部４３としては、例えば、ＲＯＭ、ＲＡＭなどの公知の記憶手段を具備するものが挙げられる。また、切削情報記憶部４３が記憶した各種情報は、好ましくはリレーショナルデータベースなどにより管理され記憶されている。
【００３９】
接続部４４は、模型製造部４と画像処理部３などとを接続することができるものであれば、コネクタなど公知の接続手段を用いることができる。
【００４０】
模型製造部制御部４５は、模型製造部全体の動作を制御する。模型製造部制御部４５は、公知のコンピュータのＣＰＵがその機能を果たすことができる。模型製造部制御部４５と、画像処理制御部３５とは、別に設けられていても良いし、一体に設けられていても良い。また模型製造部４は、ハードウェアによりその機能が具備されていても良いし、またコンピュータを上記の各機能を果たす手段を含むプログラムをコンピュータなどにインストールさせることにより機能させるものでも良い。
【００４１】
表示部としては、画像処理部３により処理される根管形状などを可視化することのできる表示手段として機能できるものであれば特に限定されない。表示部としては、ＣＲＴ、液晶モニター、有機ＥＬモニター、プラズマディスプレーパネルなど公知の表示手段が挙げられる。
【００４２】
図３に従って、本発明における根管模型の製造工程の例を説明する。なお、図３中、Ｓはステップ（工程）を表す。
根管模型を製造するに当り、画像読取手段が、根管を含む画像を読み取る（Ｓ１）。
【００４３】
画像読取手段によって読み取られた根管を含む画像に関する情報は、例えば、画像読取手段に内蔵されているＡ／Ｄ変換器によってデジタル情報に変換され、画像処理部に伝達される（Ｓ２）。
【００４４】
画像処理部に伝達された根管を含む画像に関する情報は、画像情報記憶部に記憶される（Ｓ３）。
【００４５】
根管識別部は、画像処理部に伝達された、根管を含む画像に関する情報に基づいて、画像中から根管部分を識別する（Ｓ４）。この識別された根管部分に関する情報が、画像情報記憶部に記憶されることは本発明の好ましい実施態様である。また、この識別された根管部分に関する情報が、接続部３４に連結され、図示しない表示部によって表示されることは本発明の好ましい実施態様である。
【００４６】
立体像形成部は、根管識別部が識別した根管部分の形状をもとに、接続部に接続された入力手段により入力されたポリゴン（立体多角形等）情報に基づき、複数の立体多角形等からなる根管の立体像を形成する（Ｓ５）。
【００４７】
なお、立体像形成部が、根管識別部が識別した根管部分の形状をもとに、根管部分の外郭を把握し、この外郭に複数の立体多角形等を当てはめ、複数の立体多角形等からなる根管の立体像を形成するものは、本発明の別の好ましい実施態様である。また、立体像形成部が、予め根管部分の立体形状に関する複数のデータを記憶したＲＯＭなどの記憶手段を有しており、根管識別部が識別した根管部分の形状から、自動的に根管の立体像を形成するものは、本発明の好ましい別の実施形態である。
【００４８】
立体形状形成工程により形成された根管の立体的形状は、表示手段により表示される（Ｓ６）。表示手段に表示された根管の平面形状や、立体形状に基づいて、立体多角形等を当てはめ、または当てはめなおし、根管の立体形状を得、修正された立体的形状を表示手段が表示することは、本発明の別の実施態様である。なお、立体形状形状形成工程により形成された根管の立体形状に関する情報や、立体多角形等に関する情報は、好ましくは画像情報記憶部に記憶される。
【００４９】
立体形状形状形成工程により形成された根管の立体形状に関する情報などは、模型製造部に伝えられ、被切削体を切削するための情報にするための処理がなされる（Ｓ７）。模型製造制御部が、切削指令部に根管の立体形状に関する情報と被切削体の形状等に関する情報などから、被切削体を切削する位置、深さ、スピードなどの切削指令情報を伝える。
【００５０】
切削指令部によって、切削部の動作が制御され、被切削体が切削される（Ｓ８）。模型製造部に、好ましくは、被切削体の切削された部分を検知するＣＣＤカメラなどの切削部分検知手段が設けられ、切削部分検知手段が検知した切削部分の情報が模型製造制御部にフィードバックされる。このようなフィードバック機構が設けられていれば、切削部分を当初予定していたものそれほどずれることなく被切削体を切削できることとなる。
【００５１】
このようにして、切削された被切削体は、例えば、透明な角柱状、または半割円柱状のエポキシ樹脂に根管部分が切削されたものとして製造される。このようにして、根管模型を得ることができる。
【００５２】
本発明の歯科用手用器具形状調整装置は、特に図示しないが、例えば画像読取部２と、画像処理部３と、表示部５と、形状調整部６とを具備する。また、歯科用手用器具形状調整装置は、画像読取部と表示部とに接続できる接続部を有するものであれば、画像処理部３と形状調整部６とからなるものであってもよい。
【００５３】
画像読取部２は、本発明における画像読取手段として機能する。画像読取手段としては、根管を含む画像を読み取ることのできるものであれば、公知の画像読取手段を用いることができ、特に限定されることはない。このような画像読取手段としては、先に説明したように、公知のスキャナ、デジタルカメラ、ＣＣＤカメラなどが挙げられる。例えば、患者の根管を含むレントゲン写真をこれらの画像読取手段によって読み取り、デジタル化して蓄積してもよい。また、レントゲン写真装置そのものが画像読取手段として機能してもよい。
【００５４】
画像読取部が読み取った根管を含む画像は、例えば、画像読取部に含まれるＡ／Ｄ変換器によりデジタル化され、画像処理部に送られる。
【００５５】
図４は、本発明の歯科用手用器具の調整装置における画像処理部３と形状調整部６のブロック図である。画像処理部３及び形状調整部６は、それぞれ画像処理手段及び形状調整手段として機能する。
【００５６】
図４に示されるように、画像処理部３は、（１）画像読取部が読み取った根管を含む画像に関する情報から根管部分を識別する根管識別部３１と、（２）根管識別部３１が識別した根管部分の形状から根管の立体像を形成する立体像形成部３２と、（３）画像読取部から伝えら得た根管に関する画像情報や根管識別部が識別した根管部分の形状に関する情報、立体像形成部が形成した立体像に関する情報などを記憶する画像情報記憶部３３と、（４）画像処理部３と、模型製造部４、図示しない表示部、図示しない入力手段、図示しない周辺機器（出力装置、ルータなど）と接続する接続部３４と、（５）画像処理部全体の動作を制御する画像処理制御部３５とを具備する。
【００５７】
根管識別部３１としては、例えば、画像読取部が読み取った根管を含む画像に関する情報から、各ピクセルにおける濃淡情報をもとに根管部分を識別する濃淡識別回路を含むものが挙げられる。根管識別部が識別する精度や閾値については、予め根管識別部に含まれるＲＯＭやＲＡＭなどの記憶手段に記憶されていても良い。また、根管識別部が識別する精度や閾値については、例えば、接続部３４と連結され、図示しない入力手段により入力され、画像処理制御部３５などにより制御されるものであっても良い。根管識別部３１が識別した根管形状に関する情報は、好ましくは画像処理制御部３５を介して画像情報記憶部３３に記憶される。
【００５８】
根管識別部３１が認識した根管部分については、好ましくは、接続部３４に連結され図示しない表示部によって表示される。このようにすれば、患者の根管部分の平面形状を目視することができる。また、根管部分の形状に関する情報を画像情報記憶部３３が記憶していれば、レントゲン写真等を廃棄しても、いつでも根管部分を確認できることとなり、管理等の利便性が向上するとともに、省スペース化を図ることができる。
【００５９】
立体像形成部３２は、根管識別部３１が識別した根管部分の形状から根管の立体像を形成する。立体像形成部３２は、根管識別部３１が識別した根管部分の形状をもとに、接続部３４に接続された入力手段により入力されたポリゴン（立体多角形等）情報に基づき、複数の立体多角形等からなる根管の立体像を形成するものが挙げられる。このような立体形成部としては、例えば、メタ・クリエーション（Ｍｅｔａ  Ｃｒｅａｔｉｏｎｓ）社のキャノマ（Ｃａｎｏｍａ）など公知の３次元コンピュータ支援デザイン（ＣＡＤ）ソフト、特にイメージ支援モデリングソフトなどをインストールしたコンピュータを利用することができる。イメージ支援モデリングソフトとは、平面形状写真等から、その立体形状を想定して、立体形状化するソフトをいう。
【００６０】
立体像形成部３２が、予め根管部分の立体形状に関する複数のデータを記憶したＲＯＭなどの記憶手段を有しており、根管を含む画像に関する情報を解析し、予め記憶されたか、入力手段による入力を受けた、形状変化演算に従って、根管の立体形状を変化させ、自動的に立体形状を変化させた根管の立体像を形成するものは、本発明の好ましい別の実施形態である。このようにすれば、歯科用手用器具の好ましい形状を用意に得ることができる。
【００６１】
立体像形成部３２には、根管形状と歯科用手用器具の変形に関する情報を記憶する変形情報記憶手段と、根管の立体形状に関する情報を用い、変形情報記憶手段に記憶された歯科用手用器具の変形に関する情報を参照することにより、望ましい歯科用手用器具の先端形状と根管形状との差を考慮した根管の立体像を形成するものは、本発明の特に好ましい別の実施形態である。なお、変形情報記憶手段には、根管の２次元、または３次元座標データと、好ましい歯科用リーマーの形状などを複数記憶したデータベースとして構成されていてもよい。このようにすれば、歯科用リーマーなどの歯科用手用器具の好ましい形状が、容易に得られることとなる。
【００６２】
立体像形成部３２には、根管形状の曲率を考慮し術者の知見を反映した所定の変化を加えることにより施術の際の変形を考慮した根管の立体像（歯科用手用器具の形状）を形成する立体像演算部があり、この演算部によって演算された施術の際の変形を考慮した根管の立体像を形成するものは、本発明のもっとも好ましい別の実施形態である。このようにすれば、プレカーブを考慮した立体形状を得ることにより、歯科用リーマーなどの歯科用手用器具の形状を好ましく調整することができることとなる。このような術者の知見としては、例えば後述の形状変化演算に見られるように、根管形状をその根管形状と相似形状に拡大させるものや、根管をできるだけ直線化するように拡大するものが挙げられる。
【００６３】
形状変化演算における形状変化としては、根管形状と相似形状に拡大させるように形状変化させるものが挙げられる。このような形状変化は、根管形状をそのまま拡大する根管治療の際に特に有効である。根管形状の拡大率としては、ある辺の長さを１．０１倍〜１．５倍、好ましくは１．０５倍〜１．３倍、より好ましくは１．１倍〜１．２倍にするものが挙げられる。このように根管形状を相似形状に拡大する演算は、例えば根管の像を認識した後に、その像の形状を拡大させる形状変化演算により容易に行うことができる。
【００６４】
形状変化演算における別の形状変化としては、湾曲した根管をできるだけ円錐形に近づけるように湾曲内面側に湾曲度を強くするように形状変化させるものが挙げられる。このような形状変化は、根管の湾曲をできるだけ少なくする根管治療の際に特に有効である。このように根管形状を変化させる演算は、例えば根管の像を認識した後に、その像の形状全体について曲率を把握し、その曲率を増大させる形状変化演算により容易に行うことができる。この場合における、曲率の増大率としては、１．０１倍〜３倍が挙げられ、好ましくは１．１倍〜２倍であり、より好ましくは１．３倍〜１．５倍である。
このように根管形状を変化させる演算は、また根管の像を認識した後に、その像の湾曲内面の形状を増大させる形状変化演算により容易に行うことができる。
【００６５】
画像情報記憶部３３は、画像読取部から伝えられた根管に関する画像情報や根管識別部が識別した根管部分の形状に関する情報、立体像形成部が形成した立体像に関する情報などを記憶する。画像情報記憶部３３は、例えば、ＲＯＭ、ＲＡＭなどの公知の記憶手段を具備するものが挙げられる。また、画像情報記憶部３３が記憶した各種情報は、好ましくはリレーショナルデータベースなどにより管理され記憶されている。
【００６６】
接続部３４は、画像処理部３と模型製造部４などを接続することができるものであれば、コネクタなど公知の接続手段を用いることができる。なお、接続部３４は、好ましくは図示しない表示部、図示しない入力手段、図示しない周辺機器（出力装置、ルータなど）などのうち少なくともひとつ以上と接続されている。
【００６７】
画像処理制御部３５は、画像処理部全体の動作を制御する。画像処理制御部３５は、公知のコンピュータのＣＰＵがその機能を果たすことができる。また、画像処理部３は、ハードウェアによりその機能が具備されていても良いし、またコンピュータを上記の各機能を果たす手段を含むプログラムをコンピュータなどにインストールさせることにより機能させるものでも良い。
【００６８】
図４に示されるように、形状調整部６は、（１）被切削体を切削し根管模型を製造する調整部４１と、（２）調整部４１に対し、調整部が歯科用手用器具の先端部の形状を調整する形状に関する指令を送る調整指令部４２と、（３）画像処理部３から伝えられた立体像形成部が形成した立体像に関する情報や、歯科用手用器具の形状、材質、硬度などを記憶する調整情報記憶部４３と、（４）形状調整部６と画像処理部３などとを接続する接続部４４と、（５）形状調整部部全体の動作を制御する模型製造部制御部４５とを具備する。
【００６９】
調整部４１は、歯科用手用器具の先端形状などを調整し、歯科用手用器具を好ましい形状とするための部位である。歯科用手用器具としては、歯科用バー、歯科用リーマー、Ｋファイル、Ｈファイル、Ｋフレックスファイル、Ｓファイル、トリプルファイルなどの歯科用ファイル、歯科用ドリル、  歯科用根管スプレッダ、根管プラガ、歯科用マンドレル、歯科技工用バー、歯科技工用マンドレル、医療用穿孔器などが挙げられる。これらの中でも、本発明によりその先端形状が調整される歯科用手用器具として、好ましくは歯科用リーマーやＫファイル、Ｈファイルである。
【００７０】
調整部４１としては、歯科用手用器具の先端形状などを調整しうるものであれば特に限定されるものではないが、例えば、歯科用手用器具を挟む２つの挟持部位と、当該２つの挟持部位の少なくとも一方に圧力を加える加圧手段とを含み、挟持部位が歯科用手用器具を挟んだ状態で、加圧手段が挟持部位の少なくとも一方の一部／または全体に圧力を加えることで歯科用手用器具の形状を調整するものが挙げられる。
【００７１】
調整指令部６２は、調整部６１に対し、調整部が歯科用手用器具の形状を調整する部位や程度などに関する指令を出す機能を有する。
【００７２】
調整情報記憶部６３は、画像処理部３から伝えられた立体像形成部が形成した立体像に関する情報や、歯科用手用器具の形状、材質、硬度などを記憶する。調整情報記憶部６３としては、例えば、ＲＯＭ、ＲＡＭなどの公知の記憶手段を具備するものが挙げられる。また、調整情報記憶部６３が記憶した各種情報は、好ましくはリレーショナルデータベースなどにより管理され記憶されている。
【００７３】
接続部６４は、形状調整部６と画像処理部３などとを接続することができるものであれば、コネクタなど公知の接続手段を用いることができる。
【００７４】
形状調整部制御部６５は、形状調整部全体の動作を制御する。形状調整制御部６５は、公知のコンピュータのＣＰＵがその機能を果たすことができる。形状調整制御部４５と、画像処理制御部３５とは、別に設けられていても良いし、一体に設けられていても良い。また形状調整部６は、ハードウェアによりその機能が具備されていても良いし、またコンピュータを上記の各機能を果たす手段を含むプログラムをコンピュータなどにインストールさせることにより機能させるものでも良い。
【００７５】
本発明の歯科用手用器具形状調整装置を用いて先に説明した根管模型製造装置による根管模型製造工程と同様にして歯科用手用器具の形状を調整することができる。すなわち、特に図示しないが、画像読取部が読み取り、画像処理部が立体化した根管像に基づいて、歯科用手用器具の形状が調整される。この際、好ましくは画像処理部が歯科用手用器具の変形に関する情報を記憶し、この情報に基づく形状変化演算に従って根管像を変化させる。そうすることで、歯科用手用器具の形状を根管形状と略一致させるだけではなく、根管治療に望ましい形状に変化させることができることとなる。
【００７６】
本発明の歯科用手用器具形状調整装置を含む歯科用手用器具製造装置によれば、例えば、市販されている歯科用手用器具の形状を調整し、根管治療に望ましい歯科用手用器具を製造することができる。
【００７７】
本発明の歯科用手用器具形状調整装置を用いて形状が調整された歯科用手用器具は、その形状が根管治療に望ましい形状に調整されている。したがって、このように歯科用手用器具の形状を望ましい形状とし、その上で治療を行う根管治療方法は、困難を伴う根管治療の一助となる。
【００７８】
特に図示しないが、本発明の別の実施態様にかかる歯科用手用器具製造装置は、根管を含む画像を読み取る画像読取手段と、前記画像読取手段が読み取った根管を含む画像に関する情報を解析し、根管を立体化する処理を行う画像処理手段と、少なくとも前記画像処理手段によって立体化処理された根管の立体像を表示する表示手段と、前記画像処理手段によって処理された根管の立体像情報に従って、歯科用手用器具を製造する歯科用器具製造手段とを含む。なお、歯科用手用器具製造装置は、根管を含む画像を読み取る画像読取手段と表示手段とに接続可能な接続手段と、前記画像読取手段が読み取った根管を含む画像に関する情報を解析し、根管を立体化する処理を行う画像処理手段と、前記画像処理手段によって処理された根管の立体像情報に従って、歯科用手用器具を製造する歯科用器具製造手段とを含む歯科用手用器具製造装置であっても構わない。
【００７９】
画像読取手段、画像処理手段、表示手段、接続手段については、先に説明したと同様のものを用いることができる。
【００８０】
歯科用器具製造手段は、画像処理手段によって処理された根管の立体像情報に従って、歯科用手用器具を製造することのできる手段であれば特に限定されることはなく、公知の歯科用手用器具製造手段を応用して用いることができる。
【００８１】
歯科用手用器具は、例えば、インゴットなどの円柱状の金属材から回転と医師を用いて製造される（例えば、特開平１０−２１１２１７号公報参照。）。この製造方法において、歯科用手用器具は、金属材を、回転砥石車に対してある送り速度で移動させ製造される。歯科用器具製造手段としては、金属材を保持し、金属材を移動させる金属材保持手段と、回転砥石車など金属材を研削、切削する研削・切削手段と、画像処理手段によって処理された根管の立体像情報に従って、回転砥石車などと接触する金属材の動作を制御する金属材動作制御手段を有しているものが挙げられる。画像処理手段によって処理された根管の立体像情報に従って、金属材のうち研削される部位を制御することにより、望ましい形状を持った歯科用手用器具を製造できる。
【００８２】
【実験例】
［実験例１］
本発明の根管模型製造装置が有用であることを確証するために以下の実験を行った。この実験例は、本発明の根管模型製造装置が有用であることを確証するためのものである。そこで、患者の根管を用いずに、根管モデルを作成し、それと近似した根管模型を再現できることを確認することとした。
【００８３】
（根管モデルの作成）
まず、円筒状の容器に、エポキシ樹脂及び造影剤として炭酸カルシウムを入れ樹脂組成物を用意した。また、根管の形状に似せ、３次元的に２度曲げた歯科用スプレッダを用意した。この歯科用スプレッダを、前記樹脂組成物中に入れ硬化させた。硬化した樹脂から歯科用スプレッダを取り除いた。取り除いた歯科用スプラッダが、根管に相当する。このようにして、根管部分の除かれた透明な根管モデルを作成した。
【００８４】
（立体像形成）
このようにして製造した根管モデルを、垂直方向０°、−３０°、６０°のそれぞれについて、水平方向−６０°、−３０°、０°、３０°、６０°の合計１５方向から、デジタルカメラを用いて撮影した。撮影した根管モデルを、Ｃａｎｏｍａをインストールしたパーソナルコンピュータにより分析し、立体多角形を当てはめた。その結果、垂直方向に−３０°、水平方向に６０°から撮影したもの、および垂直方向に−６０°、水平方向に−６０°から撮影した２方向からのものが、根管モデルを精確に立体化できた。
【００８５】
これら２つのデジタルカメラによって撮影した画像情報を用いて、ローランド・ディー・シー社製ＭＯＤＥＬＡにより、半割円筒状のエポキシ樹脂に対して、切削処理を行った。その結果、得られた根管模型は、根管モデルと同様の形状を呈していた。これにより、本発明の根管模型製造装置により、根管形状を再現できることが確認された。
【００８６】
【発明の効果】
本発明によれば、根管形状を可視化できる根管模型の製造装置、根管模型、根管模型の製造方法を提供することができる。本発明によれば、患者の根管形状そのままの根管模型を作成できるので、患者へのインフォームドコンセントなどの情報をより的確に説明することができることとなる。また、根管形状を立体的に容易に把握できるため、根管治療への負担が軽減されることとなる。また、複数回レントゲン撮影を行う場合に比べ、本発明においては、例えば１回、または２回のレントゲン撮影で根管形状を立体化できる。したがって、患者の被爆量を軽減できる。また、本発明によれば、解剖学的に撮影することのできない後方からの像などの立体像も得ることができる。
【００８７】
本発明によれば、根管治療の際に歯科用手用器具に要求される根管形状からのずれを考慮した根管模型の製造装置、そのような根管模型、そのような根管模型を用いた歯科用手用器具の形状調整方法を提供することができる。この根管模型によれば、根管治療に望ましい歯科用手用器具の形状（特に先端部分の形状）を得ることができる。また、この根管模型によれば、根管治療により歯科用手用器具の形状（特に先端部分の形状）が変化しても、この根管模型を参照することにより歯科用手用器具の形状を容易に望ましい形状に回復することができる。
【００８８】
本発明によれば、根管治療の際に歯科用手用器具に要求される根管形状からのずれを考慮した歯科用手用器具の形状調整装置、そのような装置を用いた歯科用手用器具の形状製造装置を提供することができる。この形状調整装置などによれば、根管治療に望ましい歯科用手用器具の形状（特に先端部分の形状）を得ることができる。また、この形状調整装置によれば、根管治療により歯科用手用器具の形状（特に先端部分の形状）が変化しても、この形状調整装置を用いることにより歯科用手用器具の形状を容易に望ましい形状に回復することができる。
【００８９】
本発明によれば、根管治療の際に歯科用手用器具に要求される根管形状からのずれを考慮した歯科用手用器具製造装置、そのような装置を用いた歯科用手用器具の製造方法を提供することができる。この歯科用手用器具製造装置などによれば、根管治療に望ましい形状（特に先端部分の形状）をもった歯科用手用器具を製造できる。
【００９０】
本発明によれば、歯科用手用器具は、その形状が根管治療に望ましい形状に調整されるか、根管治療に望ましいように製造される。したがって、このように歯科用手用器具の形状を望ましい形状とし、その上で治療を行う根管治療方法は、困難を伴う根管治療の一助となる。
【図面の簡単な説明】
【図１】図１は、本発明の第１の実施形態に係る根管模型製造装置の概略図である。
【図２】図２は、第１の実施形態における根管模型製造装置の画像処理部３と模型製造部４のブロック図である。
【図３】図３は、本発明における根管模型の製造工程の例を説明するフローチャートである。
【図４】図４は、本発明における歯科用機器先端部調整装置の画像処理部３と模型製造部４のブロック図である。
【符号の説明】
１  根管模型製造装置
２  画像読取部
３  画像処理部
４  模型製造部
５  表示部
６  形状調整部
３１  根管識別部
３２  立体像形成部
３３  画像情報記憶部
３４  接続部
３５  画像処理制御部
４１  切削部
４２  切削指令部
４３  切削情報記憶部
４４  接続部
４５  模型製造部制御部
６１  調整部
６２  調整指令部
６３  調整情報記憶部
６４  接続部
６５  形状調整制御部
【図１】
2004305610.tif 000003
【図２】
2004305610.tif 000004
【図３】
2004305610.tif 000005
【図４】
2004305610.tif 000006